(57)【要約】【課題】階段構成体から形成された階段の視認性を高める。【解決手段】階段構成体１０は、踏板部２０と、踏板部２０から下方へ延設される蹴込板部３０とから構成される構成体本体１１を備えている。構成体本体１１は合成樹脂材料により成形されている。構成体本体１１の表面に凹部２５，３１，３２を設けるとともに、凹部２５，３１，３２の内域に、構成体本体１１の表面よりも反射率の高い表面を有する表示部材４１〜４３を設けている。【選択図】図１
2014062380.tif 000002
【特許請求の範囲】
【請求項１】
踏板部と、前記踏板部から下方へ延設される蹴込板部とから構成されるとともに、合成樹脂材料により成形される構成体本体を備え、段差状に連結して階段を形成する用途に用いられる階段構成体において、
前記構成体本体の表面に凹部を設けるとともに、前記凹部の内域に、前記構成体本体の表面よりも反射率又は彩度の高い表面を有する位置表示部を設けたことを特徴とする階段構成体。
【請求項２】
前記位置表示部は、前記蹴込板部の前面に設けられた前記凹部の内域に設けられていることを特徴とする請求項１に記載の階段構成体。
【請求項３】
前記位置表示部は、前記踏板部の上面に設けられた前記凹部の内域に設けられていることを特徴とする請求項２に記載の階段構成体。
【請求項４】
屋外の傾斜面に避難路としての階段を形成する用途に用いられることを特徴とする請求項１〜３のいずれか一項に記載の階段構成体。
【請求項５】
前記構成体本体は、再生材料を含有する合成樹脂材料により成形されていることを特徴とする請求項１〜４のいずれか一項に記載の階段構成体。
【請求項６】
請求項１〜５のいずれか一項に記載の階段構成体を段差状に連結することにより形成されてなることを特徴とする階段。
【発明の詳細な説明】
【技術分野】
【０００１】
本発明は、階段構成体、及びその階段構成体から形成される階段に関する。
【背景技術】
【０００２】
従来、山間部における登山道や工事現場における傾斜面には、登山道や傾斜面の昇り降りを容易にすべく階段が設置される場合がある。上記階段としては、階段構成体を段差状に連結してなる階段が知られている（例えば、特許文献１）。特許文献１の階段は、踏板部と、踏板部から下方へ延設される蹴込板部とを備える断面Ｌ字状の階段構成体から構成され、階段構成体同士を段差状に連結することにより形成されている。
【０００３】
特許文献１の階段を山間部の傾斜面に対して形成する場合には、先ず、傾斜面に連なる基準面の地表を水平面状に整地する。そして、第１の階段構成体の蹴込板部の下端を基準面に接地させるとともに、踏板部の後端を傾斜面に接地させた状態として、傾斜面に対して、第１の階段構成体を貫通するようにアンカーピンを打ち込む。これにより、傾斜面に対して第１の階段構成体が固定されて、一段目の段部が設置される。
【０００４】
次いで、第１の階段構成体の踏板部の上面に設けられる係止部に、第２の階段構成体の蹴込板部の下端を係止させるとともに、踏板部の後端を傾斜面に接地させた状態として、傾斜面に対して、第２の階段構成体を貫通するようにアンカーピンを打ち込む。これにより、傾斜面に対して第２の階段構成体が固定されて、二段目の段部が設置される。そして、二段目と同様にして三段目以降の段部を順に設置していくことにより、傾斜面に対して階段が形成される。
【先行技術文献】
【特許文献】
【０００５】
【特許文献１】特開２００３−２６２０２１号公報
【発明の概要】
【発明が解決しようとする課題】
【０００６】
近年、津波等の災害対策の一つとして、高所へ避難するための避難路の整備が進められている。そして、高所への避難路を整備する方法として、設置の容易性やコスト等の観点から、山の傾斜面や高所へと至る傾斜面に対して特許文献１に記載される階段を設置する方法が注目されている。
【０００７】
ここで、緊急時に階段を利用して短時間で目的地に移動するためには、利用すべき階段が何処に設置されているかを容易に把握できることが重要である。しかしながら、特許文献１の階段は、階段そのものの視認性、特に夜間等の視界不良時における階段の視認性については考慮されておらず、改良の余地があった。
【０００８】
本発明は、こうした従来の実情に鑑みてなされたものであり、その目的は、階段構成体から形成された階段の視認性を高めることにある。
【課題を解決するための手段】
【０００９】
上記の目的を達成するために本発明の階段構成体は、踏板部と、前記踏板部から下方へ延設される蹴込板部とから構成されるとともに、合成樹脂材料により成形される構成体本体を備え、段差状に連結して階段を形成する用途に用いられる階段構成体において、前記構成体本体の表面に凹部を設けるとともに、前記凹部の内域に、前記構成体本体の表面よりも反射率又は彩度の高い表面を有する位置表示部を設けたことを要旨とする。
【００１０】
上記構成によれば、視界不良時においても、階段構成体から形成される階段が街灯、月明かり、携帯用照明器具等の光により照らされると、階段の位置表示部は反射光を反射する、又は彩度の高い色を示す。これにより、階段の視認性が高められて、階段利用者は階段の設置位置を容易に把握することができる。
【００１１】
また、位置表示部は、構成体本体の表面に形成される凹部の内域に設けられている。これにより、位置表示部の表面は、構成体本体を構成する踏板部や蹴込板部の表面よりも窪んだ位置に位置するようになる。そのため、階段利用者の足等の何らかの物体が階段に接触した場合に、その物体が位置表示部の表面に接触することが抑制されるとともに、物体の接触により位置表示部に不具合が生じることが抑制される。その結果、位置表示部に基づく階段の高い視認性を長期的に維持することが容易になる。
【００１２】
前記位置表示部は、前記蹴込板部の前面に設けられた前記凹部の内域に設けられていることが好ましい。上記構成によれば、設置された階段の正面及び側方からの視認性を高めることができる。その結果、高所へ上がる際に階段の設置位置を容易に把握することができる。
【００１３】
更に、蹴込板部の前面は、略垂直面状に形成されるため埃等の堆積物が生じ難く、また踏板部の上面のように常に階段利用者に踏まれる面でもなく、更には直射日光が当たり難い面であるため、踏板部の上面と比較して、構造上、防汚性及び耐候性が高い面であるということができる。そのため、踏板部の上面に位置表示部を設けた場合と比較して、蹴込板部の前面に位置表示部を設けた場合には、より長期的且つより確実に階段の視認性を高めることができる。
【００１４】
前記位置表示部は、前記踏板部の上面に設けられた前記凹部の内域に設けられていることが好ましい。上記構成によれば、設置された階段の上方からの視認性を高めることができる。その結果、高所から下りる際にも階段の設置位置を容易に把握することができる。
【００１５】
階段構成体は、屋外の傾斜面に避難路としての階段を形成する用途に用いられることが好ましい。この場合には、津波等の災害時に高所へ避難する際に、避難者は避難路である階段の設置位置を容易に把握することができる。そのため、階段によって避難者を速やかに高所へと避難誘導することができる。
【００１６】
前記構成体本体は、再生材料を含有する合成樹脂材料により成形されていることが好ましい。
上記構成によれば、構成体本体の製造に要するコストを低減することができる。また、再生材料を含有する合成樹脂材料は、様々な色の合成樹脂材料の混合物であることから黒色や茶色等の暗い色になる傾向がある。そのため、再生材料を含有する合成樹脂材料により構成体本体を成形した場合には、構成体本体の表面も同様に暗い色となり、視認性の悪い階段構成体になりやすい。したがって、再生材料を含有する合成樹脂材料により成形された構成体本体を備える階段構成体に対して、位置表示部を採用した場合には、位置表示部による視認性の向上効果はより顕著なものになる。
【００１７】
また、本発明の階段は、前記階段構成体を段差状に連結することにより形成されてなることを要旨とする。
【発明の効果】
【００１８】
本発明の階段構成体及び階段によれば、階段の視認性が高められて、階段の設置位置を容易に把握することができる。
【図面の簡単な説明】
【００１９】
【図１】階段構成体の斜視図。
【図２】図１の２−２線断面図。
【図３】図１の３−３線断面図。
【図４】図１の４−４線断面図。
【図５】階段構成体から形成された階段を示す側面図。
【発明を実施するための形態】
【００２０】
以下、本発明の階段構成体を図面に基づいて説明する。
図１に示すように、階段構成体１０は、長四角平板状の踏板部２０と、踏板部２０の前端部から下方へ延設される長四角平板状の蹴込板部３０とが一体に成形されてなる側面視Ｌ字状の構成体本体１１を備えている。構成体本体１１は、再生材料を含有する合成樹脂材料により成形されている。
【００２１】
ここで、構成体本体１１は肉厚製品（例えば、肉厚が２０〜４０ｍｍ）として成形されている。構成体本体１１を肉厚製品として成形することにより、階段構成体１０の屋外使用時における耐候性が向上する。また、再生材料の使用した場合には合成樹脂材料製品の衝撃強度が低下する傾向があるが、構成体本体１１を肉厚製品として成形することにより、再生材料の使用による構成体本体１１の衝撃強度の低下を抑制することができる。なお、構成体本体１１の成形方法としては、注入成形法、プレス成形法、射出成形法等の合成樹脂製品を製造する公知の方法を採用することができる。
【００２２】
図１及び２に示すように、踏板部２０の上面の後端部には、長辺方向へ延びる第１突条２１が突設されている。また、踏板部２０の上面における第１突条２１の前方位置には、第１突条２１と平行に延びる第２突条２２が突設されている。第１突条２１及び第２突条２２は、踏板部２０の上面に別の階段構成体１０の蹴込板部３０の下端を係止するための係止部を構成する。図２に示すように、第１突条２１及び第２突条２２の間隔Ｈ１は、蹴込板部３０の厚さＨ２よりも僅かに大きい幅に設定されている。
【００２３】
踏板部２０の上面中央部には、衝撃吸収機能及び滑り止め機能を付与すべく軟質材製のマット部２３が取り付けられている。マット部２３は、細分化された天然ゴムのチップ材をシート状に成形したシート材であり、その上面側を外部に露出させた状態として、踏板部２０内に埋設されている。また、踏板部２０における第２突条２２とマット部２３との間には、踏板部２０を上下に貫通する２つの固定孔２４が設けられている。
【００２４】
図１及び４に示すように、蹴込板部３０の前面中央部には、長方形状の凹部３１が設けられるとともに、蹴込板部３０の前面両側部には、上向き矢印形状の凹部３２が設けられている。
【００２５】
凹部３１の底面には、位置表示部としての長方形状の表示部材４１が固定されるとともに、凹部３２の底面には、位置表示部として上向き矢印形状の表示部材４２が固定されている。図４に示すように、表示部材４１，４２の厚みの値は凹部３１，３２の深さの値よりも小さく設定され、表示部材４１，４２の表面は蹴込板部３０の上面よりも窪んだ位置に位置している。したがって、表示部材４１，４２は、その全体が凹部３１，３２の内域に収容された状態になっている。
【００２６】
表示部材４１，４２は、構成体本体１１の表面（踏板部２０の上面及び蹴込板部３０の前面）よりも反射率の高い反射面を有する反射シートであって、反射面の裏側に設けられた接着層によって凹部３１，３２の底面に貼り付けられている。表示部材４１，４２は、その表面に設けられる反射面によって、街灯、月明かり、携帯用照明器具等の光を反射して、階段利用者に階段構成体１０の位置を把握させるための構成である。なお、表示部材４１，４２の反射面における反射の種類は特に限定されるものではなく、鏡面反射、拡散反射（乱反射）、再帰性反射のいずれであってもよい。
【００２７】
図１及び３に示すように、踏板部２０の上面に対しても、蹴込板部３０の前面と同様に位置表示部としての表示部材が取り付けられている。踏板部２０の上面におけるマット部２３の両側部には、長方形状の凹部２５がそれぞれ設けられている。
【００２８】
凹部２５の底面には、位置表示部としての長方形状の表示部材４３が固定されている。図３に示すように、表示部材４３の厚みの値は凹部２５の深さの値よりも小さく設定され、表示部材４３の表面は踏板部２０の上面よりも窪んだ位置に位置している。したがって、表示部材４３は、その全体が凹部２５の内域に収容された状態となっている。
【００２９】
次に、図５に基づいて、上述した階段構成体１０を用いて、山の傾斜面Ｇに避難路としての階段Ｋを設置する方法を説明する。
先ず、傾斜面Ｇに連なる基準面Ｇ１の地表を水平面状に整地した後、第１の階段構成体１０Ａの蹴込板部３０の下端を基準面Ｇ１に接地させるとともに、踏板部２０の後端を傾斜面Ｇに接地させた状態とする。そして、固定孔２４を通してアンカーピン等の固定部材５０を傾斜面Ｇに打ち込むことにより、傾斜面Ｇに対して第１の階段構成体１０Ａを固定する。これにより、傾斜面Ｇに対して一段目の段部が設置される。
【００３０】
次いで、第１の階段構成体１０Ａの踏板部２０の第１突条２１と第２突条２２との間に、第２の階段構成体１０Ｂの蹴込板部３０の下端を係止させて、階段構成体同士を連結するとともに、第２の階段構成体１０Ｂの踏板部２０の後端を傾斜面Ｇに接地させた状態とする。そして、固定孔２４を通して固定部材５０を傾斜面Ｇに打ち込むことにより、傾斜面Ｇに対して第２の階段構成体１０Ｂを固定する。これにより、傾斜面Ｇに対して二段目の段部が設置される。そして、二段目と同様にして、三段目以降の段部を順に設置していくことにより、傾斜面Ｇに対して階段Ｋが形成される。
【００３１】
次に、本実施形態の階段構成体１０から形成される階段Ｋの作用について記載する。
階段構成体１０から形成される階段Ｋは、蹴込板部３０の前面、及び踏板部２０の上面に対して、表面を反射面とする表示部材４１〜４３が固定されている。これにより、夜間等の視界不良時においても、街灯、月明かり、携帯用照明器具等の光によって階段Ｋが照らされると、階段Ｋは表示部材４１〜４３によって周囲に光りを反射する。その結果、階段Ｋは視認性の優れたものとなり、階段利用者は表示部材４１〜４３からの反射光を目印とすることによって階段Ｋの設置位置を容易に把握することができる。
【００３２】
また、構成体本体１１の表面に形成される凹部２５，３１，３２の内域に表示部材４１〜４３を設けることによって、階段利用者の足等の何らかの物体が階段Ｋに接触した場合に、その物体が表示部材４１〜４３の表面に接触することが抑制される。そして、物体の接触により表示部材４１〜４３に不具合（例えば、表面の擦傷、色落ち、表示部材の剥がれ）が生じることが抑制される。その結果、表示部材４１〜４３に基づく階段Ｋの高い視認性を長期的に維持することができるようになる。
【００３３】
次に、本実施形態の効果について記載する。
（１）階段構成体１０は、踏板部２０と、踏板部２０の下面から下方へ延設される蹴込板部３０とから構成される構成体本体１１を備えている。構成体本体１１は合成樹脂材料により成形されている。構成体本体１１の表面に凹部２５，３１，３２を設けるとともに、凹部２５，３１，３２の内域に、構成体本体１１の表面よりも反射率の高い表面を有する表示部材４１〜４３を設けている。
【００３４】
上記構成によれば、階段構成体１０から形成される階段Ｋの視認性が高められて、階段利用者は階段Ｋの設置位置を容易に把握することができる。更に、表示部材４１〜４３に基づく階段Ｋの高い視認性を長期的に維持することができる。
【００３５】
（２）位置表示部としての表示部材４１，４２は、蹴込板部３０の前面に設けられた凹部３１，３２の内域に設けられている。上記構成によれば、設置された階段Ｋの正面及び側方からの視認性を高めることができる。その結果、高所へ上がる際に階段Ｋの設置位置を容易に把握することができる。
【００３６】
また、蹴込板部３０の前面は、略垂直面状に形成されるため埃等の堆積物が生じ難く、また踏板部２０の上面のように常に階段利用者に踏まれる面でもなく、更には直射日光が当たり難い面であるため、踏板部２０の上面と比較して防汚性及び耐候性が高い面であるということができる。そのため、踏板部２０の上面に表示部材４３を設けた場合と比較して、蹴込板部３０の前面に表示部材４１，４２を設けた場合には、より長期的且つより確実に階段の視認性を高めることができる。
【００３７】
（３）位置表示部としての表示部材４３は、踏板部２０の上面に設けられた凹部２５の内域に設けられている。上記構成によれば、設置された階段Ｋの上方からの視認性を高めることができる。その結果、高所から下りる際にも階段Ｋの設置位置を容易に把握することができる。
【００３８】
（４）階段構成体１０は、屋外の傾斜面に避難路としての階段を形成する用途に用いられるものである。上記構成によれば、津波等の災害時に高所へ避難する際に、避難者は避難路である階段Ｋの設置位置を容易に把握することがでる。そのため、階段によって避難者を速やかに高所へと避難誘導することができる。
【００３９】
（５）構成体本体１１は、再生材料を含有する合成樹脂材料により成形されている。
上記構成によれば、構成体本体１１の製造に要するコストを低減することができる。また、再生材料を含有する合成樹脂材料は、様々な色の合成樹脂材料の混合物であることから黒色や茶色等の暗い色になる傾向がある。そのため、再生材料を含有する合成樹脂材料により構成体本体１１を成形した場合には、構成体本体１１の表面も同様に暗い色となり、視認性の悪い階段構成体１０になりやすい。したがって、再生材料を含有する合成樹脂材料により成形された構成体本体１１を備える階段構成体１０に対して、表示部材４１〜４３を設けた場合には、表示部材４１〜４３による視認性の向上効果はより顕著なものになる。
【００４０】
（６）構成体本体１１を肉厚製品として成形している。上記構成によれば、階段構成体１０の屋外使用時における耐候性を向上させることができるとともに、再生材料の使用による衝撃強度の低下を抑制することができる。更に、構成体本体１１を構成する踏板部２０及び蹴込板部３０が肉厚になることにより、踏板部２０及び蹴込板部３０の厚みの範囲内に凹部２５，３１，３２を形成することが容易になる。
【００４１】
なお、上記実施形態は、次のように変更して具体化することも可能である。また、次の変更例を互いに組み合わせ、その組み合わせの構成のように上記実施形態を変更することも可能である。
【００４２】
・  構成体本体１１の表面において、表示部材を設ける位置は特に限定されるものではない。例えば、位置表示部を蹴込板部３０の表面のみに設けてもよいし、踏板部２０の表面のみに設けてもよい。また、蹴込板部３０について、両側の表示部材４２を省略して、中央の表示部材４１のみを設ける構成としてもよい。
【００４３】
・  表示部材の外形形状は特に限定されるものではない。例えば、「上」、「下」、「避難路」等の文字形状であってもよい。また、表示部材の外形形状は、当該表示部材が設けられる凹部の外形形状と異なる形状であってもよい。例えば、長方形状の凹部に対して、矢印形状の表示部材を設けてもよい。
【００４４】
・  表示部材はシート状の部材に限定されるものではない。例えば、表面に反射面を有する板状の部材であってもよいし、表面に反射面を有するブロック状の部材であってもよい。
【００４５】
・  上記実施形態では、表示部材の表面を、構成体本体１１の表面よりも反射率の高い反射面としたが、構成体本体１１の表面よりも彩度の高い面としてもよい。この場合、表示部材の表面は、赤、青、黄等の周囲の色に対して際立つ色であることが特に好ましい。この場合にも、上記（１）と同様の効果を得ることができる。つまり、街灯、月明かり、携帯用照明器具等の光によって階段Ｋが照らされた際に、表示部材が彩度の高い色を示すことにより階段Ｋの視認性が高められる。
【００４６】
・  表示部材を構成体本体１１に固定する方法は特に限定されるものではない。例えば、インサート成形法により構成体本体１１と表示部材とを一体に成形してもよい。
・  表示部材に代えて、反射塗料や蛍光塗料等を構成体本体１１の凹部の底面に塗装することによって、位置表示部を形成してもよい。具体的には、ホットスタンプやスクリーン印刷等の印刷を凹部の底面に施すことによって位置表示部を形成することができる。この場合においても、上記実施形態と同様に優れた耐候性を得ることができる。
【００４７】
また、二色成形法を用いて、構成体本体１１における凹部の底面を含む一部分を、彩度の高い合成樹脂材料や、反射塗料又は蛍光塗料等を練り込んだ合成樹脂材料により成形することによって、位置表示部を形成してもよい。更に、異なる種類の位置表示部を組み合わせて設けてもよい。例えば、反射シート等の表示部材からなる位置表示部と、反射塗料等の印刷からなる位置表示部とを同時に設けてもよい。
【００４８】
・  上記実施形態では、蹴込板部３０の前面又は踏板部２０の上面に対して表示部材の表面を窪んだ位置に位置させていたが、表示部材の表面の窪み量は適宜、変更してもよい。ただし、蹴込板部３０の前面又は踏板部２０の上面に対する表示部材の表面の窪み量は、２ｍｍ以上に設定することが好ましい。なお、表示部材の表面の窪み量は、位置表示部の厚みに応じて、対応する凹部の深さを変更することにより調整することができる。例えば、位置表示部が厚さ３ｍｍの表示部材である場合には、対応する凹部の深さを５ｍｍ以上とし、位置表示部が厚さを無視できる印刷である場合には、対応する凹部の深さを２ｍｍ以上とする。
【００４９】
・  階段Ｋを屋外に設置した場合、踏板部２０の上面に設けられた凹部２５内には、雨水等の水が溜まる可能性がある。そこで、踏板部２０に対して、凹部２５内に入った水を排出するための排出孔や排出溝を更に設けてもよい。更に、踏板部２０上に雨水等の水が溜まることを抑制するため、更には踏板部２０を流れる水が蹴込板部３０に流れ込むことを抑制するために、踏板部２０における凹部２５が設けられる部位以外の部位に排出孔や排出溝を設けてもよい。
【００５０】
また、蹴込板部３０に対して、凹部３１，３２内に入った水を排出するための排出溝を設けてもよい。この場合には、凹部３１，３２の水はけが良くなり、凹部３１，３２に設けられる表示部材４１，４２の表面等に対する水垢の付着を抑制することができる。
【００５１】
・  踏板部２０の上面及び蹴込板部３０の前面は、階段Ｋの設置時において、水平面状及び垂直面状にそれぞれ位置するように設けられる構成に限定されるものではなく、水平面や垂直面から傾斜するように設けられていてもよい。例えば、蹴込板部３０の前面について、上端が前側に位置するとともに下端が奥側に位置するように傾斜させてもよい。この場合には、蹴込板部３０の前面が下方側を向くため、蹴込板部３０の前面に直射日光が当たり難くなる。また、蹴込板部３０の前面に雨水等が付着し難くなる。その結果、蹴込板部３０の耐候性が向上するとともに、蹴込板部３０の表面に汚れが付着し難くなる。
【００５２】
・  構成体本体１１を形成する合成樹脂材料における再生材料の含有比率は特に限定されるものではない。また、バージン材料のみからなる合成樹脂材料により構成体本体１１を形成してもよい。
【００５３】
・  上記実施形態では、踏板部２０の上面にマット部２３を設けて踏板部２０上面の滑りを抑制していたが、踏板部２０の上面に複数の凹凸部分を設けることによって滑りを抑制するように構成してもよい。
【００５４】
・  階段構成体１０同士を互いに連結するための係止部の構成は、踏板部２０の上面に第１突条２１及び第２突条２２を設ける構成に限定されるものではない。例えば、踏板部２０上面の後端部に対して、蹴込板部３０の下端部を係止可能な係止溝を設ける構成としてもよい。
【００５５】
・  傾斜面Ｇに階段Ｋを設置する際に、予め傾斜面Ｇに対して、傾斜面Ｇの傾斜方向に延びる横木を複数固定しておき、その横木に対して階段構成体１０を固定することによって階段Ｋを形成してもよい。
【００５６】
・  階段構成体１０は屋内に階段Ｋを設置する用途に用いてもよい。例えば、一階の床面と二階の床面との間を連結するように斜め方向に延びる上記横木を配置するとともに、その横木に対して階段構成体１０を固定することによって屋内に階段Ｋを設置することができる。
【００５７】
・  窪み状の凹部に代えて貫通孔状の凹部とし、構成体本体１１の裏面側に表示部材を取り付けるとともに、表示部材の表面を貫通孔状の凹部から露出させるように構成してもよい。上記構成は、貫通孔状の凹部の輪郭部分が特に強調される構成となる。なお、構成体本体１１の強度低下を抑制する観点から、強度に影響の少ない部位（例えば、凹部２５，３２に対応する部位）に設けることが特に好ましい。
【符号の説明】
【００５８】
Ｇ…傾斜面、Ｋ…階段、１０…階段構成体、１１…構成体本体、２０…踏板部、２５，３１，３２…凹部、３０…蹴込板部、４１〜４３…表示部材。
【図１】
2014062380.tif 000003
【図２】
2014062380.tif 000004
【図３】
2014062380.tif 000005
【図４】
2014062380.tif 000006
【図５】
2014062380.tif 000007